(57)【特許請求の範囲】
【請求項１】
デジタルテレビ放送の放送電波を受信する受信アンテナから受信信号を取得し、測定対象となる放送チャンネル内の特定周波数の信号が基準周波数となるよう、前記受信信号を周波数変換する周波数変換手段と、
前記周波数変換手段にて周波数変換された受信信号のうち、前記基準周波数を中心とする１セグメント分の周波数帯域の信号成分を選択的に通過させるバンドパスフィルタと、
前記バンドパスフィルタを通過した１セグメント分の周波数帯域内の信号を検波する検波手段と、
前記周波数変換手段に対し、前記測定対象となる放送チャンネルでワンセグ放送に利用される特定セグメントの中心周波数が前記基準周波数となるよう前記受信信号を周波数変換させ、該周波数変換後に前記検波手段を介して得られる検波電圧を、前記特定セグメントの信号レベルとして検出する第１レベル検出手段と、
前記周波数変換手段に対し、前記測定対象となる放送チャンネルで前記特定セグメントとは異なるセグメントである比較用セグメントの中心周波数が前記基準周波数となるよう前記受信信号を周波数変換させ、該周波数変換後に前記検波手段を介して得られる検波電圧を、前記比較用セグメントの信号レベルとして検出する第２レベル検出手段と、
前記第１レベル検出手段にて検出された前記特定セグメントの信号レベルが、前記第２レベル検出手段にて検出された前記比較用セグメントの信号レベルに比べ、所定の閾値以上高いか否かを判定する判定手段と、
前記判定手段にて前記特定セグメントの信号レベルが前記比較用セグメントの信号レベルに比べ前記閾値以上高くないと判断されると、予め設定されるか、あるいは、前記第１レベル検出手段にて検出された前記検波電圧に所定の比率を乗じることで算出される第１補正値を、前記第１レベル検出手段にて検出された信号レベルから減じることで、該信号レベルから前記特定セグメントに隣接する隣接セグメントの信号成分を除去する第１補正手段と、
を備えたことを特徴とする信号レベル測定装置。
【請求項２】
前記判定手段にて前記特定セグメントの信号レベルが前記比較用セグメントの信号レベルに比べ前記閾値以上高いと判断されると、予め設定されるか、あるいは、前記第１レベル検出手段にて検出された前記検波電圧に所定の比率を乗じることで算出される第２補正値を、前記第１レベル検出手段にて検出された信号レベルに加算することで、前記バンドパスフィルタの減衰特性による前記信号レベルの測定誤差を補正する第２補正手段、
を備えたことを特徴とする請求項１に記載の信号レベル測定装置。
【発明の詳細な説明】
【技術分野】
【０００１】
本発明は、デジタルテレビ放送の一つのセグメントを利用して行われるワンセグ放送の信号レベルを測定する信号レベル測定装置に関する。
【背景技術】
【０００２】
従来、地上局からの送信電波を利用して受信端末に配信されるデジタルテレビ放送では、テレビ放送の１チャンネル毎に割り当てられる６ＭＨｚの周波数帯域内に、周波数帯域幅が約４２８ｋＨｚのセグメントを１３個割り当て、中央の１セグメントを使用して、車載テレビや携帯電話等のポータブル受信機に対し移動中でも映像や音声を安定して受信し得るワンセグ放送を行い、残りの１２セグメントを使用して、固定受信機向けのテレビ放送を行っている。
【０００３】
このため、こうしたデジタルテレビ放送の放送電波の信号レベルを測定する装置においては、単にテレビ放送１チャンネル分の放送信号の信号レベルだけでなく、ワンセグ放送が行われる特定セグメントの放送信号の信号レベルを測定できるようにする必要がある。
【０００４】
ここで、ワンセグ放送の信号レベルは、テレビ放送１チャンネル分の放送信号の信号レベル（詳しくは電力若しくは電界強度）を測定し、その測定結果を１／１３に演算することで、求めるようにしてもよい。
【０００５】
しかし、このように算出されるワンセグ放送の信号レベルは、放送電波がマルチパス等の影響を受けて、テレビ放送１チャンネル分の帯域内で信号レベルが変化すると、正規の信号レベルからずれてしまう。
【０００６】
そこで、こうした問題を防止するため、ワンセグ放送に対応した１セグメント分の信号レベルを実測し、その実測値と、テレビ放送１チャンネル分の測定結果を１／１３した理論値と実測値との差を、表示することが提案されている（例えば、特許文献１参照）。
【０００７】
この提案の装置によれば、使用者が表示結果を見ることにより、ワンセグ放送の信号レベル（実測値）だけでなく、その放送信号がマルチパス等の影響を受けているか否かを判断することができる。
【先行技術文献】
【特許文献】
【０００８】
【特許文献１】特開２００７−１９８９３６号公報
【発明の概要】
【発明が解決しようとする課題】
【０００９】
上記のように、ワンセグ放送の信号レベルを実測する場合、デジタルテレビ放送の放送電波を受信する受信アンテナからの受信信号の中から、測定対象となる放送チャンネルでワンセグ放送が行われている特定セグメントを選局する必要がある。
【００１０】
そして、その選局には、特定セグメントの信号のみを選択的に通過させるバンドパスフィルタが使用され、このバンドパスフィルの帯域幅は、ワンセグ放送に使用される１セグメント分の周波数帯域に合わせて、約４２８ｋＨｚに設定されることになる。
【００１１】
ところで、バンドパスフィルタは、上下のカットオフ周波数が適正であっても、カットオフ周波数付近での減衰特性を急峻に変化させることはできないことから、バンドパスフィルタからは、特定セグメントの信号だけでなく、特定セグメントに隣接した隣接セグメントの信号の一部が出力されることになる。
【００１２】
このため、バンドパスフィルタを用いて特定セグメントの信号を選局し、その信号レベルを測定した際には、測定結果に、隣接セグメントの信号成分が含まれることになる。
一方、この問題を防止するには、特定セグメントの信号レベルの測定結果から、バンドパスフィルタを通過した隣接セグメントの信号成分に対応する補正値を減じるようにすればよい。
【００１３】
しかし、このようにすると、ワンセグ放送だけを行うデジタルテレビ放送では、そのワンセグ放送の信号レベルを正常に測定することができず、測定結果に誤差が生じるという問題がある。
【００１４】
つまり、デジタルテレビ放送では、放送エリアを制限して、ワンセグ放送を行う、所謂エリアワンセグが提案されているが、このエリアワンセグが実施される地域では、そのエリアワンセグの信号レベルを測定する必要がある。
【００１５】
しかし、エリアワンセグを行うデジタルテレビ放送では、エリアワンセグ用のセグメントに隣接するセグメントは存在しないことから、上記のように特定セグメントの信号を選局して、その信号レベルを測定した後、その測定結果から、隣接セグメントの信号成分に対応する補正値を減じるようにすると、信号レベルの測定結果が、実際の信号レベルよりも低くなってしまう。
【００１６】
本発明は、こうした問題に鑑みなされたものであり、地上波を利用したデジタルテレビ放送において、通常のテレビ放送と共に実施されるワンセグ放送の信号レベルと、ワンセグ放送だけが実施されるエリアワンセグの信号レベルとを、それぞれ、精度よく測定することのできる信号レベル測定装置を提供することを目的とする。
【課題を解決するための手段】
【００１７】
かかる目的を達成するためになされた本発明の一局面の信号レベル測定装置は、
デジタルテレビ放送の放送電波を受信する受信アンテナから受信信号を取得し、測定対象となる放送チャンネル内の特定周波数の信号が基準周波数となるよう、前記受信信号を周波数変換する周波数変換手段と、
前記周波数変換手段にて周波数変換された受信信号のうち、前記基準周波数を中心とする１セグメント分の周波数帯域の信号成分を選択的に通過させるバンドパスフィルタと、
前記バンドパスフィルタを通過した１セグメント分の周波数帯域内の信号を検波する検波手段と、
前記周波数変換手段に対し、前記測定対象となる放送チャンネルでワンセグ放送に利用される特定セグメントの中心周波数が前記基準周波数となるよう前記受信信号を周波数変換させ、該周波数変換後に前記検波手段を介して得られる検波電圧を、前記特定セグメントの信号レベルとして検出する第１レベル検出手段と、
前記周波数変換手段に対し、前記測定対象となる放送チャンネルで前記特定セグメントとは異なるセグメントである比較用セグメントの中心周波数が前記基準周波数となるよう前記受信信号を周波数変換させ、該周波数変換後に前記検波手段を介して得られる検波電圧を、前記比較用セグメントの信号レベルとして検出する第２レベル検出手段と、
前記第１レベル検出手段にて検出された前記特定セグメントの信号レベルが、前記第２レベル検出手段にて検出された前記比較用セグメントの信号レベルに比べ、所定の閾値以上高いか否かを判定する判定手段と、
前記判定手段にて前記特定セグメントの信号レベルが前記比較用セグメントの信号レベルに比べ前記閾値以上高くないと判断されると、予め設定されるか、あるいは、前記第１レベル検出手段にて検出された前記検波電圧に所定の比率を乗じることで算出される第１補正値を、前記第１レベル検出手段にて検出された信号レベルから減じることで、該信号レベルから前記特定セグメントに隣接する隣接セグメントの信号成分を除去する第１補正手段と、
を備えたことを特徴とする。
【００１８】
また、本発明の他の局面の信号レベル測定装置は、更に、
前記判定手段にて前記特定セグメントの信号レベルが前記比較用セグメントの信号レベルに比べ前記閾値以上高いと判断されると、予め設定されるか、あるいは、前記第１レベル検出手段にて検出された前記検波電圧に所定の比率を乗じることで算出される第２補正値を、前記第１レベル検出手段にて検出された信号レベルに加算することで、前記バンドパスフィルタの減衰特性による前記信号レベルの測定誤差を補正する第２補正手段、
を備えたことを特徴とする。
【発明の効果】
【００１９】
本発明の信号レベル測定装置によれば、第１レベル検出手段が、周波数変換手段に対し、測定対象となる放送チャンネルでワンセグ放送に利用される特定セグメントの中心周波数が基準周波数となるよう、受信信号を周波数変換させる。そして、第１レベル検出手段は、周波数変換手段による受信信号の周波数変換後に検波手段を介して得られる検波電圧を、特定セグメントの信号レベルとして検出する。
【００２０】
また、第２レベル検出手段は、周波数変換手段に対し、測定対象となる放送チャンネルで特定セグメントとは異なるセグメントである比較用セグメントの中心周波数が基準周波数となるよう、受信信号を周波数変換させる。そして、第２レベル検出手段は、周波数変換手段による周波数変換後に検波手段を介して得られる検波電圧を、比較用セグメントの信号レベルとして検出する。
【００２１】
また、このように、第１レベル検出手段及び第２レベル検出手段にて、特定セグメント及び比較用セグメントを信号レベルが検出されると、判定手段が、その検出結果に基づき、特定セグメントの信号レベルは比較用セグメントの信号レベルに比べて所定の閾値以上高いか否かを判定する。
【００２２】
そして、判定手段にて特定セグメントの信号レベルが比較用セグメントの信号レベルに比べ閾値以上高くないと判断されると、第１補正手段が、第１レベル検出手段にて検出された信号レベルから、第１補正値を減じることで、特定セグメントに隣接する隣接セグメントの信号成分を除去する。
【００２３】
つまり、特定セグメントの信号レベルが比較用セグメントの信号レベルに比べ閾値以上高い場合、判定手段では、測定対象となる放送チャンネルは、ワンセグ放送専用の放送チャンネル（例えば、上述したエリアワンセグ用の放送チャンネル）であると判定できる。
【００２４】
そして、この場合、所謂選局用のバンドパスフィルタを通過する受信信号は、ワンセグ放送１セグメント分の受信信号であることから、第１レベル検出手段にて検出される特定セグメントの信号レベルは、特定セグメントに隣接した隣接セグメントの影響を受けることはない。
【００２５】
しかし、特定セグメントの信号レベルが比較用セグメントの信号レベルに比べ閾値以上高くない場合（つまりこれら各信号レベルが略同レベルである場合）、測定対象となる放送チャンネルは、ワンセグ放送を含む通常のテレビ放送（所謂フルセグ放送）を行う放送チャンネルであると判定できる。
【００２６】
そして、この放送チャンネルでは、選局用のバンドパスフィルタを通過する受信信号は、ワンセグ放送１セグメント分の受信信号に隣接セグメントの信号成分を加えた信号となる。
【００２７】
そこで、本発明では、判定手段にて、特定セグメントの信号レベルが比較用セグメントの信号レベルに比べ閾値以上高くない（つまり測定対象となる放送チャンネルは通常のフルセグ放送を行う放送チャンネルである）と判定されたときにだけ、第１補正手段を動作させるのである。
【００２８】
この結果、本発明の信号レベル測定装置によれば、測定対象となる放送チャンネルが、エリアワンセグのようなワンセグ放送専用の放送チャンネルであっても、或いは、ワンセグ放送と通常のテレビ放送とを行うフルセグ放送用の放送チャンネルであっても、ワンセグ放送の信号レベルを精度よく測定することができるようになる。
【００２９】
ところで、ワンセグ放送の選局に用いられるバンドバスフィルタは、１セグメント分の周波数帯域内で通過ロスをなくすことはできず、特に、上下のカットオフ周波数付近では通過ロスが大きくなる。
【００３０】
このため、測定対象となる放送チャンネルが、ワンセグ放送専用の放送チャンネル（例えば、上述したエリアワンセグ用の放送チャンネル）である場合に、バンドパスフィルタを通過するワンセグ放送１セグメント分の受信信号は、バンドパスフィルタを通過する際に一部が減衰され、第１レベル検出手段にて検出される特定セグメントの信号レベルは、実際の信号レベルよりも低くなることが考えられる。
【００３１】
そこで、本発明の信号レベル測定装置においては、判定手段にて特定セグメントの信号レベルが比較用セグメントの信号レベルに比べ閾値以上高いと判断された際には、第２補正手段にて、第１レベル検出手段にて検出された信号レベルに第２補正値を加算することで、バンドパスフィルタの減衰特性による測定誤差を補正するようにしてもよい。
【００３２】
そして、このようにすれば、特定セグメントの信号レベルをより精度よく測定することができるようになる。
【図面の簡単な説明】
【００３３】
【図１】実施形態のレベルチェッカの構成を表すブロック図である。
【図２】図１の制御部にて実行される信号レベル測定処理を表すフローチャートである。
【図３】図２の信号レベル測定処理の動作を説明するタイムチャートである。
【発明を実施するための形態】
【００３４】
以下に本発明の実施形態を図面と共に説明する。
図１に示すように、本実施形態の信号レベル測定装置（以下、レベルチェッカという）２は、地上局（詳しくは放送局若しくは中継局）から送信されたデジタルテレビ放送の電波（ＵＨＦ帯）を受信可能なアンテナ４を備え、このアンテナ４からの受信信号から、特定放送チャンネルのワンセグ放送の信号レベルを測定するためのものである。
【００３５】
このため、レベルチェッカ２には、アンテナ４から受信信号を取り込むための入力端子６と、入力端子６を介して入力された受信信号の中から、特定放送チャンネルのワンセグ放送を選局するための選局部１０と、選局部１０にて選局されたワンセグ放送の信号を包絡線検波することで、その信号レベルを検出する検波部２０と、が備えられている。
【００３６】
また、選局部１０は、受信信号を増幅する増幅回路１２と、受信信号を周波数変換するための高周波信号を発生する発振器１４と、発振器１４からの高周波信号と受信信号とを混合することで受信信号を周波数変換するミキサ１６と、ミキサ１６から出力される周波数変換後の受信信号のうち、基準周波数ｆｒを中心とするワンセグ放送１セグメント分の帯域幅（約４２８ｋＨｚ）の信号を通過させるバンドパスフィルタ（以下、ＢＰＦという）１８と、を備える。
【００３７】
ここで、発振器１４は、制御部３０からの制御信号（電圧）により発振周波数を制御可能な可変発振器にて構成されている。
そして、制御部３０は、発振器１４に対し、特定放送チャンネルの特定周波数ｆａの信号を基準周波数ｆｒに周波数変換するのに必要な高周波信号ｆｂ（＝ｆａ−ｆｒ）を発生させる制御信号を出力する。
【００３８】
この結果、ミキサ１６では、特定周波数ｆａの信号が、基準周波数ｆｒに周波数変換（ダウンコンバート）され、ＢＰＦ１８からは、そのダウンコンバートされた基準周波数ｆｒを中心とする１セグメント分の帯域幅の信号が出力されることになる。
【００３９】
次に、制御部３０は、ＣＰＵ、ＲＯＭ、ＲＡＭ等からなるマイクロコンピュータを中心に構成されており、選局部１０に選局させる放送チャンネル（測定対象となる放送チャンネル、以下、測定チャンネルともいう）は、操作部２４からの指令に従い設定する。
【００４０】
また、制御部３０のＲＯＭ内には、選局部１０にて選局可能なＵＨＦ帯のテレビ放送チャンネル毎に、ワンセグ放送に利用されるセグメントの中心周波数が記憶されており、制御部３０（詳しくはＣＰＵ）は、特定放送チャンネル（測定チャンネル）のワンセグ放送の信号レベルを測定する際には、ＲＯＭから、そのワンセグ放送の中心周波数ｆ０を読み出し、その中心周波数が基準周波数ｆｒとなるように、発振器１４の発振周波数を制御する。
【００４１】
また、制御部３０には、操作部２４に加えて、ワンセグ放送の信号レベルの測定結果を表示するための表示部２２が接続されている。なお、表示部２２は、液晶表示パネル等にて構成されており、操作部２４の近傍に配置されている。
【００４２】
次に、制御部３０のＣＰＵにて、ワンセグ放送の信号レベルを測定する際に実行される、信号レベル測定処理について、図２に示すフローチャートに沿って説明する。
なお、この信号レベル測定処理は、操作部２４を介して、測定対象となる所望の放送チャンネルにおけるワンセグ放送の信号レベルの測定指令が入力されたときに、起動される処理である。
【００４３】
図２に示すように、この信号レベル測定処理が起動されると、まず、Ｓ１１０（Ｓはステップを表す）にて、操作部２４を介して設定された測定チャンネルを読み込む。
そして、続くＳ１２０では、選局部１０に対し、その測定チャンネルのワンセグ放送を選局させ、その後、検波部２０から、その選局させたワンセグ放送１セグメント分の検波電圧を読み込む。
【００４４】
なお、図３（ａ）に示すように、１３セグメントからなる通常のデジタルテレビ放送信号において、ワンセグ放送には、中央のセグメントが利用されることから、Ｓ１２０では、その中央のセグメントの中心周波数ｆ０を、基準周波数ｆｒに周波数変換すべき信号の周波数（特定周波数）としてＲＯＭから読み込む。
【００４５】
そして、発振器１４に対し制御信号を出力することで、発振器１４から、その特定周波数ｆ０の信号を基準周波数ｆｒに周波数変換するのに必要な高周波信号ｆｂ（＝ｆ０−ｆｒ）を発生させる。
【００４６】
この結果、選局部１０では、ワンセグ放送用のセグメントの中心周波数ｆ０が基準周波数ｆｒとなるように受信信号が周波数変換され、その周波数変換された受信信号の内、ワンセグ放送１セグメント分の信号が、ＢＰＦ１８を介して、検波部２０に出力されることになる。
【００４７】
すると、検波部２０は、ＢＰＦ１８を介して入力された信号を包絡線検波することで、その信号レベル（電力）を表す検波電圧を出力することから、Ｓ１２０では、その検波電圧を読み込むことで、ワンセグ放送の信号レベルを検出する。
【００４８】
次に、Ｓ１３０では、図３（ａ）に示すように、測定チャンネル内で、Ｓ１２０にて選局部１０に選局させたワンセグ放送よりも所定周波数（例えば１．５ＭＨｚ）だけ周波数が高く、１セグメント分の周波数帯域を有する信号を、比較用セグメントとして、選局部１０に選局させ、その後、検波部２０から、その選局させた比較用セグメントの検波電圧を読み込む。
【００４９】
つまり、Ｓ１３０では、選局部１０に対し、Ｓ１２０にて選局させたワンセグ放送の中心周波数ｆ０よりも所定周波数（例えば、１．５ＭＨｚ）だけ高い周波数ｆ１の信号が基準周波数ｆｒとなるよう、受信信号を周波数変換させることで、検波部２０に対し、ＢＰＦ１８を介して、測定チャンネル内で周波数ｆ１を中心とする１セグメント分の帯域幅の受信信号を、比較用セグメントとして出力させ、その比較用セグメントの検波電圧を、検波部２０から読み込む。
【００５０】
次に、Ｓ１４０では、Ｓ１２０にて読み込んだワンセグ放送の検波電圧と、Ｓ１３０で読み込んだ比較用セグメントの検波電圧とを比較し、ワンセグ放送の検波電圧が比較用セグメントの検波電圧に比べ、所定の閾値以上高いか否かを判断することにより、測定チャンネルは、１３セグメントからなる通常のデジタルテレビ放送（所謂フルセグ放送）を行う通常チャンネル（図３（ａ）参照）であるか、ワンセグ放送だけを行うワンセグ放送専用のチャンネル（図３（ｂ）参照）であるかを判断する。
【００５１】
そして、Ｓ１４０では、ワンセグ放送の検波電圧が比較用セグメントの検波電圧よりも閾値以上高くなければ（つまり、検波電圧の差が小さければ）、測定チャンネルでは、通常のフルセグ放送がなされていると判断して、Ｓ１５０に移行する。
【００５２】
すると、Ｓ１５０では、Ｓ１２０にて読み込んだワンセグ放送の検波電圧から、フルセグ用の第１補正値Ａを減じることで、ワンセグ放送の検波電圧を補正する。
これは、測定チャンネルがフルセグ放送の場合、図３（ａ）に示すように、測定チャンネルの周波数帯域（６ＭＨｚ）内に、１３セグメント分の放送信号（ＯＦＤＭ信号）が配列され、ＢＰＦ１８を介して検波部２０に出力されるワンセグ放送１セグメント分の信号には、隣接セグメントの信号成分が含まれるためである。
【００５３】
つまり、ＢＰＦ１８の上下のカットオフ周波数（詳しくは、高周波側及び低周波側のカットオフ周波数）は、１セグメント分の信号（帯域幅約４２８ｋＨｚの信号）を通過できるように設定される。
【００５４】
しかし、図３に点線で示すように、ＢＰＦ１８において、上下のカットオフ周波数で信号の通過損失を急峻に変化させることは困難であり、信号の通過損失が小さい通過帯域よりも外側の周波数帯域では、通過損失が緩やかに増大する。
【００５５】
このため、測定チャンネルがフルセグ放送の場合、ＢＰＦ１８を介して検波部２０に出力される信号には、ワンセグ放送の信号に加えて、ワンセグ放送のセグメントに隣接する隣接セグメントの信号の一部が含まれ、検波部２０を介して得られる検波電圧は、ワンセグ放送単体の正規の検波電圧に比べ大きくなる。
【００５６】
そこで、本実施形態では、その検波電圧の誤差分を、実験・シミュレーション等で予め求め、これを第１補正値Ａとして、ＲＯＭに記憶しておくことで、Ｓ１５０にて、ワンセグ放送の検波電圧を、第１補正値Ａを用いて減算補正するようにしているのである。
【００５７】
このように、Ｓ１５０にて、Ｓ１２０で測定された検波電圧がワンセグ放送単体の検波電圧として補正されると、Ｓ１７０に移行し、その補正後の検波電圧を、ワンセグ放送の信号レベルとして表示部２２に表示し、当該信号レベル測定処理を終了する。
【００５８】
この結果、測定チャンネルが通常のフルセグ放送である場合、表示部２２には、隣接セグメントの影響を受けることなく、ワンセグ放送単体の信号レベルが表示されることになり、使用者は、ワンセグ放送の信号レベルを正確に把握することができる。
【００５９】
なお、Ｓ１７０において、表示部２２に信号レベルを表示する際には、測定チャンネルが通常のフルセグ放送であるかワンセグ放送専用の放送であるかを表す放送種別情報も表示する。
【００６０】
一方、ワンセグ放送の検波電圧が、比較用セグメントの検波電圧に比べ閾値以上高い場合、Ｓ１４０では、測定チャンネルはワンセグ放送専用のチャンネルであると判断され、Ｓ１６０の処理が実行される。
【００６１】
そして、Ｓ１６０では、Ｓ１２０にて読み込んだワンセグ放送の検波電圧に、ワンセグ放送専用の第２補正値Ｂを加算することで、ワンセグ放送の検波電圧を補正し、Ｓ１７０に移行する。
【００６２】
つまり、図３に点線で示すように、ＢＰＦ１８において、上下のカットオフ周波数よりも内側の周波数帯域内で、信号の通過損失を一定にするのは難しく、上下のカットオフ周波数近傍では、中心周波数近傍に比べて通過損失が大きくなる。
【００６３】
このため、図３（ｂ）に示すように、測定チャンネルがワンセグ放送専用のチャンネルで、ＢＰＦ１８を通過する信号がワンセグ放送の信号だけである場合、その信号の一部がＢＰＦ１８を通過する際に減衰され、検波部２０を介して得られる検波電圧は、ワンセグ放送単体の正規の検波電圧に比べ小さくなる。
【００６４】
そこで、本実施形態では、その検波電圧の誤差分を、実験・シミュレーション等で予め求め、これを第２補正値Ｂとして、ＲＯＭに記憶しておくことで、Ｓ１６０にて、ワンセグ放送の検波電圧を、第２補正値Ｂを用いて加算補正するようにしているのである。
【００６５】
この結果、測定チャンネルがワンセグ放送専用のチャンネルである場合、表示部２２には、ＢＰＦ１８での信号通過特性（換言すれば選局部１０でのワンセグ放送の選局特性）の影響を受けることなく、ワンセグ放送単体の信号レベルが表示されることになり、使用者は、ワンセグ放送の信号レベルを正確に把握することができる。
【００６６】
従って、本実施形態のレベルチェッカ２によれば、測定チャンネルが、エリアワンセグのようなワンセグ放送専用の放送チャンネルであっても、通常のフルセグ放送を行う放送チャンネルであっても、ワンセグ放送の信号レベルを精度よく測定することができるようになる。
【００６７】
ここで、本実施形態では、発振器１４及びミキサ１６が、本発明の周波数変換手段に相当し、ＢＰＦ１８が、本発明のバンドパスフィルタに相当し、検波部２０が、本発明の検波手段に相当する。
【００６８】
また、本実施形態において、本発明の第１レベル検出手段、第２レベル検出手段、判定手段、第１補正手段、及び、第２補正手段としての機能は、制御部３０にて実行される信号レベル測定処理にて実現される。
【００６９】
つまり、本発明の第１レベル検出手段としての機能は、図２のＳ１２０にて実現され、第２レベル検出手段としての機能は、図２のＳ１３０にて実現され、判定手段としての機能は、図２のＳ１４０にて実現され、第１補正手段としての機能は、図２のＳ１５０にて実現され、第２補正手段としての機能は、図２のＳ１６０にて実現される。
【００７０】
以上、本発明の一実施形態について説明したが、本発明は、上記実施形態に限定されるものではなく、本発明の要旨を逸脱しない範囲内にて種々の態様を採ることができる。
例えば、上記実施形態では、Ｓ１５０、Ｓ１６０にて検波電圧を補正するのに用いる第１補正値Ａ、第２補正値Ｂは、予めＲＯＭ内に格納されているものとして説明したが、これら各補正値Ａ、Ｂは、Ｓ１２０で求めたワンセグ放送の検波電圧に所定の比率を乗じることで算出するようにしてもよい。
【符号の説明】
【００７１】
２…レベルチェッカ（信号レベル測定装置）、４…アンテナ、６…入力端子、１０…選局部、１２…増幅回路、１４…発振器、１６…ミキサ、１８…ＰＢＦ（バンドパスフィルタ）、２０…検波部、２２…表示部、２４…操作部、３０…制御部。
【図１】
0005926076.tif 000002
【図２】
0005926076.tif 000003
【図３】
0005926076.tif 000004